(57)【要約】 【課題】  植物系廃棄物や余剰作物を有効に利用して分解速度の速い遊技機の装飾シートを提供する。【解決手段】  装飾シートを構成する透明フィルム１を生分解性プラスチックを用いて製造する。また、絵柄印刷層２を生分解性インキにより印刷する。生分解性プラスチックとして、パチンコ機の機台廃材などの植物系廃棄物を原料として製造された完全分解型生分解性プラスチックを用いることができるし、或いは、ポリエチレンなどの汎用合成樹脂に、家畜飼料用の余剰作物などから取出した植物系天然高分子が混合された崩壊型生分解性プラスチックを用いることができる。【選択図】    図１
2005066088.tif 000002
【特許請求の範囲】
【請求項１】
遊技板面に貼り付けて用いられる遊技機の装飾シートであって、該装飾シートは、透明フィルムと、裏打ち紙と、これらの間に形成された絵柄印刷層とからなり、且つ、前記透明フィルムは生分解性プラスチックを用いて製造されたものであることを特徴とする遊技機の装飾シート。
【請求項２】
遊技板面に貼り付けて用いられる遊技機の装飾シートであって、該装飾シートは、透明フィルムと、透明フィルムの裏面に形成された絵柄印刷層とからなり、且つ、前記透明フィルムは生分解性プラスチックを用いて製造されたものであることを特徴とする遊技機の装飾シート。
【請求項３】
絵柄印刷層は、生分解性インキにより印刷されたものである請求項１または２に記載の遊技機の装飾シート。
【請求項４】
生分解性プラスチックは、植物系廃棄物を原料として製造された完全分解型生分解性プラスチックであることを特徴とする請求項１〜３の何れかに記載の遊技機の装飾シート。
【請求項５】
植物系廃棄物として、パチンコ機の機台廃材を用いることを特徴とする請求項４に記載の遊技機の装飾シート。
【請求項６】
生分解性プラスチックは、汎用合成樹脂に植物系天然高分子が混合された崩壊型生分解性プラスチックであることを特徴とする請求項１〜３の何れかに記載の遊技機の装飾シート。
【発明の詳細な説明】
【技術分野】
【０００１】
本発明は、遊技板面に貼り付けて用いられる遊技機の装飾シートに関するものである。
【背景技術】
【０００２】
パチンコ機等の遊技機の遊技板面に貼り付けられる装飾シートとしては、所要の図柄が印刷された裏打ち紙の印刷面に合成樹脂製の透明フィルムが貼着されたものがある。この装飾シートは、その印刷面を表側として遊技盤に貼り付けて透明フィルムを通して印刷図柄が見えるようにして用いられる。装飾シートを貼り付けた遊技盤には、釘、役物、各種の入賞口などの遊技部品が配設されて遊技に供される。  
【０００３】
そして、遊技機が使い古されたり、遊技の内容が陳腐化したような場合には、新台と入れ換えることになるが、使用済みの遊技機は解体されて一部がリサイクルされて再利用される。また、係る処理には少なからずコストがかかるので、解体されずにそのまま廃棄されることもある。しかしながら、従来の装飾シートは、透明フィルムとしてポリエステルやセルロイド、或いは特開２００３−３８７４３号公報に開示されているセルロースアセテートブチレートなどの合成樹脂製のものを用いていたので、このような装飾シートは、長年の放置によっても容易に分解されずいつまでも形を保持したまま存在するという不都合があった。また、上記のような汎用合成樹脂は難燃性を有するうえに、焼却処分した場合には有害なガスを発生したりして大気を汚染するので、一般ゴミとして処分することは不可能である。したがって、従来の装飾シートは廃棄後の処理についてしばしば問題となることがあった。
さらに、パチンコ機機台の廃材や古紙などの植物系廃棄物、或いは家畜飼料用のとうもろこしなどの余剰作物についても処分に苦慮しているのが実情であり、これらを透明フィルムの原料として利用することができれば、資源をリサイクル使用するものとして非常に有益である。
【特許文献１】特開２００３−３８７４３号公報（図１）
【発明の開示】
【発明が解決しようとする課題】
【０００４】
本発明は上記した従来の問題点を解決し、植物系廃棄物や余剰作物を有効に利用して分解速度の速い遊技機の装飾シートを提供するためになされたものである。    
【課題を解決するための手段】
【０００５】
上記の課題を解決するためになされた本発明の遊技機の装飾シートは、遊技板面に貼り付けて用いられる遊技機の装飾シートであって、該装飾シートは、透明フィルムと、裏打ち紙と、これらの間に形成された絵柄印刷層とからなり、且つ、前記透明フィルムは生分解性プラスチックを用いて製造されたものであることを特徴とするものであり、また、該装飾シートは、透明フィルムと、透明フィルムの裏面に形成された絵柄印刷層とからなり、且つ、前記透明フィルムは生分解性プラスチックを用いて製造されたものであることを特徴とするものである。
【０００６】
なお、絵柄印刷層は、生分解性インキにより印刷することができる。また、生分解性プラスチックとして、植物系廃棄物を原料として製造された完全分解型生分解性プラスチックを用いることができ、前記植物系廃棄物として、パチンコ機の機台廃材を用いることができる。さらに、生分解性プラスチックとして、汎用合成樹脂に植物系天然高分子が混合された崩壊型生分解性プラスチックを用いることができる。
【発明の効果】
【０００７】
本発明の遊技機の装飾シートは、装飾シートを構成する透明フィルムを生分解性プラスチック製としたので、微生物の分解作用により透明フィルムを従来より速く分解することができる。また、絵柄印刷層を生分解性インキにより印刷するので、環境を汚染することがない。
生分解性プラスチックとして、植物系廃棄物を原料として製造された完全分解型生分解性プラスチックを用いることによって、透明フィルムを最終的に無害な水と二酸化炭素等に分解することができる。上記植物系廃棄物としてパチンコ機の機台廃材を用いることによって、機台廃材を資源として有効に活用することができる。
また、生分解性プラスチックとして、農作物、特に余剰作物から取出したでんぷんなどの植物系天然高分子が汎用合成樹脂に混合された崩壊型生分解性プラスチックを用いるによって、生分解性プラスチックを安価に製造することができるうえに、余剰作物を処分して有効に活用することができる。
【発明を実施するための最良の形態】
【０００８】
以下に図面を参照しつつ本発明の好ましい実施形態を説明する。
図１、２は本発明にかかる装飾シートを示す図であって、装飾シートは、生分解性プラスチックを用いて製造された透明フィルム１の裏面に、絵柄印刷層２が形成された裏打ち紙３が貼着されたものである。なお、絵柄印刷層２は透明フィルム１の裏面に印刷してもよい。この場合には裏打ち紙３を省略することができる。
【０００９】
上記生分解性プラスチックは、植物系廃棄物を原料として製造された完全分解型生分解性プラスチックである。植物系廃棄物としては、ダンボール、チラシ、再生紙などの古紙、生ゴミ、余剰農作物、木粉、竹、わら、間伐材、家具廃材、家屋解体廃材、パチンコ機機台廃材を用いることができるが、機枠やベニヤ板などのパチンコ機の機台廃材を用いた場合には機台廃材を有効に活用することができるので、パチンコ機の処分方法として非常に好ましいものである。
【００１０】
ここで完全分解型生分解性プラスチックとは、プラスチックを構成する成分の全てが微生物の作用により最終的に水と二酸化炭素等に分解されるタイプにものをいう。しかし、充填剤や色素などの混合物にまで完全分解を要求されるものではなく、これらは自然界に与える影響がほとんどなければよい。このような生分解性プラスチックの製造に当っては、例えば先ず、上記したような植物系廃棄物から植物繊維を取り出す。次いで、植物繊維の主要成分であるセルロースをセルロース分解酵素とともに緩衝液中に投入して、セルロースを分解し糖（ポリ乳酸）を取り出す。次に回収した糖にジカルボン酸などの脂肪酸を加えて共重合することにより、生分解性、光分解性のあるプラスチックを合成することができる。そして、このプラスチックをシート状に形成することによって完全分解型の生分解性を有する透明フィルムを製造することができる。
【００１１】
完全分解型生分解性プラスチックは、焼却した場合でも発生熱量が少なくダイオキシン等の有害物質が放出されることがない。また、化学的分解によってもとの原料である糖に再度戻すことができる。したがって、リサイクルして繰り返し使用することが可能であるので、限りある石油資源のように枯渇する心配がない。
【００１２】
また、上記完全分解型に替えて生分解性プラスチックを、ポリエチレン、ポリプロピレン等の汎用合成樹脂に植物系天然高分子が混合された崩壊型（部分分解型）生分解性プラスチックとしてもよい。植物系天然高分子として、家畜飼料用のとうもろこし、ジャガイモ、大豆などの農作物から取出した澱粉、キトサン、たんぱく質を用いることができるし、これらにＰＶＡ（ポリビニルアルコール）を添加して用いることもできる。この崩壊型生分解性プラスチックは、分解過程で澱粉などは微生物に分解され、ベース材となる汎用合成樹脂の部分は分解されずに残る。しかしながら、肉眼で分解されたと認識されるレベルに崩壊されるので、完全分解型生分解性プラスチックと大きな変わりはない。なお、天然高分子の混合率を高めるほど分解速度を速めることができるが、透明フィルムの製造コストは高くなる。
【００１３】
本発明の遊技機の装飾シートは、パチンコ機の遊技盤面に使用が限定されるものではなく、スロットマシン等の遊技機の装飾面に貼着して用いることができる。また、本発明に用いた生分解性プラスチックは、パチンコ機の球皿、球タンク、球誘導樋、風車や枠飾りなどの装飾品、役物など従来汎用合成樹脂が使用されてきたあらゆる遊技部品に使用することができる。
【００１４】
また、絵柄印刷層は、生分解性インキにより印刷するのが環境を汚染することがないので望ましい。このような生分解性インキとして、澱粉変性物系のものや、脂肪族ポリエステル系のものを用いることができる。
【００１５】
以上に説明したように、本発明の遊技機の装飾シートは、植物系廃棄物や余剰作物を資源として有効に活用できるうえに、放置した場合には速やかに分解するという環境適合型の装飾シートとして大きな価値を有するものである。
【図面の簡単な説明】
【００１６】
【図１】本発明に係る装飾シートの断面図である。
【符号の説明】
【００１７】
１  透明フィルム
２  絵柄印刷層
３  裏打ち紙
【図１】
2005066088.tif 000003